(57)【要約】【課題】  電気器具の設置位置の傍近くにまとまりなく置かれた電気コードの余剰部分は埃を被り易い上に、掃除の際の邪魔になった。コードの配線が室内の美観を損なうことなく、掃除などの邪魔にならない余剰コードの処理の方法が望まれる。【解決手段】近似長方形などのコンパクトな形を成し、その壁部に巻き込み側コード口と巻き出し側コード口を備え、内部に電気コードの間の部分を任意の形に巻いて収納し、そのコードの両端を巻き込み側コード口と巻き出し側コード口から引き出して接続するようにしたコードケースを提供する。これにより、長さを調節出来る延長コードとすることが出来た。また、電気器具の裏側に乱れた配線の見えない真直ぐのすっきりした配線が達成された。【選択図】  図１
2017199889.tif 000002
【特許請求の範囲】
【請求項１】
その内壁がコードの太さを超える前後方向の幅を有し巻きコード部の周りを囲う外側案内手段を成す周壁部と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、コードの巻きコード部分を内部に収納する開閉可能に分割されたコードケース。
【請求項２】
巻き込み側コード口と巻き出し側コード口との間で、コードを螺旋状に巻いた巻きコード部を形成して収納することを特徴とする請求項１記載のコードケース。
【請求項３】
周壁部の内側に巻きコード部のコードの巻き方向に沿ってコードの太さに適合する幅のコード仕切りから成る外側案内手段を備えることを特徴とする請求項２記載のコードケース。
【請求項４】
1本のコードの入る前後幅で巻きコード部の周りを囲う外側案内手段を成す周壁部と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、巻き込み側コード口と巻き出し側コード口との間で、コードを一重に左右交互に折り曲げ状に巻いて収納する開閉可能に分割されたコードケース。
【請求項５】
近似長方形のケースの左右の短辺側の側壁に設けた巻き込み側コード口と、短辺側の側壁の他の部位に設けた巻き出し側コード口を備えることを特徴とする請求項１記載のコードケース。
【請求項６】
その前壁部と後壁部との間に、少なくとも前壁部と後壁部の一方の側の壁部に保持されて巻きコード部の巻き輪の内側を前後方向に横切るコード案内手段を備えることを特徴とする請求項２又は４記載のコードケース。
【請求項７】
近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される一組の案内体から成るコード案内手段を備えることを特徴とする請求項２記載のコードケース。
【請求項８】
前壁部上の左右のコードの折り曲げ輪の内側の位置に左右方向に設けた左側と右側のスライド溝と、前記左右のスライド溝内にスライド可能に嵌る左側と右側の案内体と、前壁部の裏側で前記左右の案内体を各々保持する左側と右側のスライドカバーと、案内体の先端部のコード案内面を備え、各々の曲げ輪の内側で前記スライド溝上を滑動するコード案内手段を備えることを特徴とする請求項４記載のコードケース。
【請求項９】
各々その内側に左右方向のスライド溝を備える前部材と後部材と該両部材を一体に結合する結合部材から成り近似長方形のケースの前壁部と後壁部に形成された保持部に保持されたホルダーと、前記ホルダー上に背中合わせに配置され各々前記スライド溝にスライド可能に嵌るスライド部とその先端側のコード案内面とその後端側のバネ受け部を有する２個の案内体と、各案内体とホルダー間に保持される２個の拡張バネから成るコード引き込み手段を備えることを特徴とする請求項２記載のコードケース。
【請求項１０】
近似正多角形のケースの周壁部の一部位に巻き込み側コード口を、前記巻き込み側コード口より任意の角度離隔した他の部位に巻き出し側コード口を備えることを特徴とする請求項１又は２記載のコードケース。
【請求項１１】
近似正多角形を有するケースの前壁部内にその中心部より放射状に配置され且つ放射方向にスライド可能に保持され、各々その先端側にコード案内面を有する複数の案内体と、前記複数の案内体の後端側とケース中心側のバネ受けとの間に装着された複数の拡張バネから成るコード引き込み手段を備えることを特徴とする請求項１０記載のコードケース。
【請求項１２】
コード案内手段の案内体がその先端側に回転自由に保持されたローラから成るコード案内面を備えることを特徴とする請求項６、７、８、９又は１１記載のコードケース。
【請求項１３】
コード口の下方側にコードの太さより幅の狭い保持溝を形成し、この部位に側壁の外側に突出する形のコード押え部を備えるコード止め手段を備えることを特徴とする請求項１、４、５又は１０記載のコードケース。
【請求項１４】
コード口の部分にその内径がコードの外径に緩く適合した大きさを有し、その先方側の外周面がコード口の孔部の大きさより手前側上りに傾斜した傾斜面を成し、その手前端側に鍔部を有すると共にその周壁に軸方向の切り割を有する止めブッシュから成るコード止め手段を備えることを特徴とする請求項１、４、５又は１０記載のコードケース。
【請求項１５】
コード口の部分にその一方側がコードの太さより幅の狭い略楔形の長孔に形成したコード止め手段を備えることを特徴とする請求項１、４、５又は１０記載のコードケース。
【発明の詳細な説明】
【技術分野】
【０００１】
本発明は、電気器具（以後は単に器具と呼ぶ）等で使用する電気コード（以後は単にコードと呼ぶ）などを収納するコードケースに関するものである。
特に、コード端部のプラグやソケット等の接続器具を含まない1本のコードの間の部分を収納するケースである。このケースは器具の配線の際に生ずる余剰部分を収納して配線の美観を高めることが出来る。
【背景技術】
【０００２】
市場には、例えば、長さ０．５ｍあるいは長さ３ｍなどの電気用の延長コードが多く見られる。
器具の位置から離れた位置にソケットなどの接続口がある場合などに用いるものとしては、電源取出し用のリールスタンドなどがある。
固定して使用する器具などに付属するコードは、一般に、器具の設置や取り扱いの上で不便を来たさない程度の余裕のある長さが与えられている。そこで、器具の設置位置の傍近くに電源用ソケット等の接続口がある時は、コードの長さの余剰部分はそのまま巻いたり折り曲げたりして器具の近くに置くなどの処理ですまされてきた。延長コードを使用する際も、長さの余剰部分は同様にして処理されている。
容器内に連結コンセントを置き、複数のコードを容器外に取り出すようにした電気コード収納容器などが公開されている。
【先行技術文献】
【特許文献】
【０００３】
【特許文献１】特開平９−２９３９７８
【特許文献２】特開２００２−６３９６９
【発明の概要】
【発明が解決しようとする課題】
【０００４】
前述のような従来の余剰コードの処理の仕方では、コードが室内など周囲の美観を損ね、好ましくない使用状態に置かれるなどしてきた。また、纏まりなく置かれたコードは埃を被り易い上に、掃除や色々な作業の際の邪魔になった。
ここに、電気器具などのコードの配線が室内の美観を損なうことなく、また、掃除や日常の作業などの邪魔にならない余剰コードの処理手段が望まれる。
【０００５】
本発明の目的は、コードの配線の際に生ずる余分な長さの部分を小さく形よく収納し、配線の乱れの見えないすっきりした配線の出来るコードケースを提供することである。
本発明の他の目的は、配線のコードをコード口より引き出したり、戻したりたりすることが出来、コードを弛みのない真直ぐな状態で使用できるコードケースを提供することである。
本発明のさらに他の目的は、コードを螺旋状に巻いて収納出来るコンパクトなコードケースを提供することである。
本発明のさらに他の目的は、ケース内にコードの案内手段を設け、巻きの乱れのない円滑なコードの出し入れの行われるコードケースを提供することである。
本発明のさらに他の目的は、コードを平たいケース内で一重に収納した薄い携帯に便利なコードケースを提供することである。
本発明のさらに他の目的は、コードケース内の巻きの原形が維持され、コードのねじれや乱れが生じないコードケースを提供することである。
本発明のさらに他の目的は、ケースをコードの配線ラインに沿って置け、配線の流れを乱さない形状のコードケースを提供することである。
本発明のさらに他の目的は、二つのコードの端をコードケースの任意の角度間隔の位置から引き出せるコードケースを提供することである。
本発明のさらに他の目的は、ケースを開いて巻きコードの巻き数を加減出来るコードケースを提供することである。
本発明のさらに他の目的は、ケース内部でのコードの移動抵抗が小さく、コードの出し入れが軽快に出来るコードケースを提供することである。
本発明のさらに他の目的は、ケース内へのコードの引き込みが軽快に出来る扱い易いコードケースを提供することである。
本発明のさらに他の目的は、ケースのコード口の部分に簡単な操作で確りコードの移動止めが行われるコードケースを提供することである。
【課題を解決するための手段】
【０００６】
上記の目的を達成する為に、本発明は、その内壁がコードの太さを超える前後方向の幅を有し巻きコード部の周りを囲う外側案内手段を成す周壁部と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、コードの巻きコード部分を内部に収納する開閉可能に分割されたコードケースを提供する。
【０００７】
ここで、巻きコードとは、コードを少なくとも半巻き（１/２回巻き）以上に巻いたものである。半巻きとはコードを輪の形を形成して折り曲げ状にしたものを含んでいる。
また、ケース内でのコードの巻き方は、必ずしも規則正しく巻かれたもののみに限定されない。巻きの位置や大きさなどに幾分の乱れがあっても巻きコード部の収納の目的は達成される。
【０００８】
また、ケース内の巻き込み側コード口と巻き出し側コード口との間で、コードを螺旋状に巻いた巻きコード部を形成して収納するコードケースを提供する。
【０００９】
また、ケースの周壁部の内側に巻きコード部のコードの巻き方向に沿ってコードの太さに適合する幅のコード仕切りから成る外側案内手段を備えるコードケースを提供する。
【００１０】
また、1本のコードの入る前後幅で巻きコード部の周りを囲う外側案内手段を成す周壁部と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、巻き込み側コード口と巻き出し側コード口との間で、コードを一重に左右交互に折り曲げ状に巻いて収納する開閉可能に分割されたコードケースを提供する。
【００１１】
また、近似長方形のケースの左右の短辺側の側壁に設けた巻き込み側コード口と、短辺側の側壁の他の部位に設けた巻き出し側コード口を備えるコードケースを提供する。
ここに、近似長方形とは、正面の形が長孔や左右に扁平な楕円形を含む長方形の形ことを言う。
【００１２】
また、その前壁部と後壁部との間に、少なくとも前壁部と後壁部の一方の側の壁部に保持されて巻きコード部の巻き輪の内側を前後方向に横切るコード案内手段を備えるコードケースを提供する。
【００１３】
また、近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される左右一組の案内体から成るコード案内手段を備えるコードケースを提供する。
【００１４】
また、前壁部上の左右のコードの折り曲げ輪の位置に左右方向に設けた左側と右側のスライド溝と、前記左右のスライド溝内にスライド可能に嵌る左側と右側の案内体と、前壁部の裏側で前記左右の案内体を保持する左側と右側のスライドカバーと、各案内体の先端部のコード案内面を備え、各々の曲げ輪の内側で前記スライド溝上を滑動するコード案内手段を備えるコードケースを提供する。
【００１５】
また、各々その内側に左右方向のスライド溝を備える前部材と後部材と該両部材を一体に結合する結合部材から成り近似長方形のケースの前壁部と後壁部に形成された保持部に保持されたホルダーと、前記ホルダー上に背中合わせに配置され各々前記スライド溝にスライド可能に嵌るスライド部とその先端側のコード案内面とその後端側のバネ受け部を有する２個の案内体と、各案内体とホルダー間に保持される２個の拡張バネから成るコード引き込み手段を備えるコードケースを提供する。
【００１６】
また、近似正多角形のケースの周壁部の一部位に巻き込み側コード口を、前記巻き込み側コード口より任意の角度離隔した他の部位に巻き出し側コード口を備えるコードケースを提供する。
ここに、近似正多角形とは、正面の形が円形や正方形を含む正多角形のことを言う。
【００１７】
また、近似正多角形を有するケースの前壁部内にその中心部より放射状に配置され且つ放射方向にスライド可能に保持され、各々その先端側にコード案内面を有する複数の案内体と、前記複数の案内体の後端側とケース中心側のバネ受けとの間に装着された複数の拡張バネから成るコード引き込み手段を備えるコードケースを提供する。
【００１８】
また、コード案内手段の案内体がその先端側に回転自由に保持されたローラから成るコード案内面を備えるコードケースを提供する。
【００１９】
また、コード口の下方側にコードの太さより幅の狭い保持溝を形成し、この部位に側壁の外側に突出する形のコード押え部を備えるコード止め手段を備えるコードケースを提供する。
【００２０】
また、コード口の部分にその内径がコードの外径に緩く適合した大きさを有し、その先方側の外周面がコード口の孔部の大きさより手前側上りに傾斜した傾斜面を成し、その手前端側に鍔部を有すると共にその周壁に軸方向の切り割を有する止めブッシュから成るコード止め手段を備えるコードケースを提供する。
【００２１】
また、コード口の部分にその一方側がコードの太さより幅の狭い略楔形の長孔に形成したコード止め手段を備えるコードケースを提供する。
【００２２】
本発明のコードケースは、半透明あるいは透明のプラスチック樹脂製として内部が見えるようにしておくことも出来る。又、柔軟なビニール製とすることも出来る。ケースの一部に壁などに固定するための孔や引掛け用のフック部を設けておくことも推奨される。
【発明の効果】
【００２３】
本発明は、以上説明したように構成されるので、以下に記載されるような効果を奏する。
【００２４】
コードをケース内で巻きコード部を形成して収納し、ケースの周りの壁部の二つのコード口から必要な長さのコードを引き出せる開閉可能のコードケースとしたので、コードの配線の際などに生ずる余剰コード部分が小さく形よく収納され、家具の隅などに乱れた配線の見えない、掃除等の邪魔にならないすっきりした配線が出来る。
【００２５】
また、ケースを開いて巻きコード部の巻きの数を加減して長さを調節したり、巻きコードの乱れを直したりすることが出来る扱いやすいコードケースが得られる。
【００２６】
また、コードを螺旋状に巻いた巻きコード部とすることで、コードが小さくまとまり良く収納される。且つ、コードが規則正しく巻かれるので、より円滑なコードの出し入れ操作の出来るコンパクトなコードケースが得られる。
【００２７】
また、コードケースの周壁部の内側にコードの巻き方向に沿ってコードの太さに適合する幅のコード仕切りから成る外側案内手段を設けることで、巻きコード部の巻きの乱れが防止され、コード口からのより円滑なコードの出し入れが行われる。
【００２８】
また、1本のコードの入る深さの周壁部の内側に巻き込み側コード口と巻き出し側コード口間でコードを一重に左右交互に折り曲げ状に巻いて収納する開閉可能なコードケースとすることで、細いコードの収納に適した薄い携帯に便利なコードケースが得られる。
【００２９】
また、近似長方形のケースの二つの短辺側の一方の側に巻き込み側コード口を、短辺側の他方の側に巻き出し側コード口を備えるコードケースとすることで、細長いケースをコードの配線のラインに沿って置ける、あるいは、配線ラインの角部に置いてコードを直角に流すなどの一層自由な配線が可能な扱いやすいコードケースが得られる。
【００３０】
また、ケースの前壁部と後壁部との間に、少なくとも前壁部と後壁部の一方の側の壁部に保持されて巻きコード部の巻き輪の内側を前後方向に横切るコード案内面を備えるコード案内手段を設けることで、ケース内でのコードのねじれや巻きの原形の消滅による収納の乱れが防止され、コードの出し入れがより円滑に行われるコードケースが得られる。
【００３１】
また、近似長方形のケースの前壁部と後壁部に左右方向のスライド溝を設け、該スライド溝上に巻きコード部の巻き輪の内側で滑動可能に保持される左右一組の案内体から成るコード案内手段を設けることで、案内体のスライド操作によるコードのケース内への円滑な引き込みが出来るコードケースが得られる。
【００３２】
また、前壁部の内壁面上にコードの左右の折り曲げ輪の内側の位置に左右方向のスライド溝を設け、該スライド溝上でスライド可能にスライドカバーに保持された左右の案内体から成るコード案内手段を設けることで、より円滑なコードの引き出しと引き込みが行われる薄いコンパクトなコードケースが得られる。
【００３３】
また、近似長方形のケース内に左右方向のスライド溝を備えるホルダーを設け、前記スライド溝上にスライド可能に保持され各々その背後に拡張バネを備える２個の案内体から成るコード引き込み手段を設けることで、ケース外部へのコードの引き出しとケース内部への引き込みが円滑に行われ、且つ、コードを張った状態に維持することも可能な近似長方形のコードケースが得られる。
【００３４】
また、近似正多角形のケースの周壁部に二つのコード口を任意の角度を保った位置に配置出来るようにしたことで、コードの配線の自由度が高まりコードケースをコードの配線の為の器具の一つとして利用することが可能となる。
【００３５】
また、近似正多角形を有するケース内に放射状に配置され且つ放射方向にスライド可能に保持され、各々その先端側にコード案内面を有する複数の案内体と、その背後の拡張バネから成るコード引き込み手段を設けることで、外部よりコードを引っ張って引き出すことが出来る。また、拡張バネの拡張力の助勢でコードをケース内へ引き込むことが出来る近似正多角形のコードケースが可能となる。
【００３６】
また、コード案内手段の案内体がその先端側に回転自由に保持されたローラから成るコード案内面を備えるようにすることで、コードの移動抵抗が軽減されより軽快なコードの出し入れ操作の出来るコードケースが得られる
【００３７】
また、ケースのコード口の下方側にコードの太さより幅の狭い保持溝を形成し、この部位に側壁の外側に突出する形のコード押え部を備えるコード止め手段を設けることで、コード部分をより長い幅で柔軟に保持してコードを傷めずに確り保持するコード止め手段を備えるコードケースが得られる。
【００３８】
また、コード口の部分にその先方側の外周面がコード口の孔部の大きさより手前側上りに傾斜した傾斜面を成し、その手前端側に鍔部を有すると共にその周壁に軸方向の切り割を有する止めブッシュのコード止め手段を設けることで、一層強固にコードの移動が押えられるコードケースが得られる。
【００３９】
また、ケースのコード口の部分にその一方側がコードの太さより幅の狭い略楔形の長孔に形成したコード止め手段を設けることで、コード口にあるコードをコード止め手段の楔部に向かって上げ下げするだけでコードの移動止めと外しの行えるコードケースが得られる。
【図面の簡単な説明】
【００４０】
【図１】本発明の実施形態を示す図で、一部を破断して示す正面図
【図２】図１における２−２矢視断面図
【図３】同ケースの左側面図
【図４】同ケースの右側面図
【図５】本発明の他の実施例を示す図で、一部を破断して示す正面図
【図６】図５における６−６矢視断面図
【図７】本発明の他の実施例を示す図で、一部を破断して示す正面図
【図８】図７における８−８矢視断面図
【図９】本発明の他の実施例を示す図で、一部を破断して示す正面図
【図１０】図９における１０−１０矢視断面図
【図１１】本発明の他の実施例を示す図で、一部を破断して示す正面図
【図１２】本発明の他の実施例を示す図で、後部カバーを開いて示す正面図
【図１３】図１２における１３−１３矢視断面図で後部カバーを閉じて示す図
【図１４】図１２における１４−１４矢視図で後部カバーを閉じて示す拡大図
【図１５】本発明の他の実施例を示す図で、後部カバーを外して示す正面図
【図１６】図１５における１６−１６矢視断面図
【図１７】本発明の他の実施例を示す図で、コードケースの左側面図
【図１８】図１７における１８−１８矢視断面図
【図１９】本発明の他の実施例を示す図で、コード止め手段の部分を示す部分正面断面図である。
【発明を実施するための形態】
【００４１】
以下、本発明の実施の形態を実施例に基づいて説明する。
【００４２】
図１〜図４は、コードケースの一実施例を示す。柔軟性を持つプラスチック製のコードケース１は上壁２、下壁３、左側の側壁４、右側の側壁５からなる周壁部６と前壁部７及び後壁部８を有する左右に長い近似長方形の正面形状を有している。このケースは分割線9の位置でケースの上側10とケースの下側１1の上下に二分割されており、ケースの下側１1の上縁の左右の肩部１2をケースの上側10の掛け爪部１3で引掛けて保持して一体化している。ケースを開く時にはケースの上側の指掛け部１４を外に開いて掛け爪部１３の掛かりを外す。ケースの内部には螺旋状に巻かれた余剰コード１５が収納されている。収納された余剰コードの巻きコード部１６は自ずとコードケース１の周壁部６の内壁の形に倣う。
【００４３】
左右の側壁には各々２本の縦の長孔状のコード口が形成されている。
この例において、コードの巻き込み端１７は周壁部６の左側の側壁４の一部位に設けた巻き込み側コード口１８よりコードケース１内に入り、ケース内で巻きコード部１６を形成し、その巻き出し端１９は周壁部６の右側の側壁５の一部位に設けた巻き出し側コード口２０より外部へ出る。しかし、コードの巻き出し端は左側の側壁４の他の部位に設けた第二の巻き出し側コード口２１より巻き出し端１９’のように外部へ出すことも出来る。
巻き込み及び巻き出しの各コード口は縦の長孔状を有し、その幅は下側に向かってコードの直径より狭く造られ略楔形をしており、下へ押し下げられたコードの動きを抑えるコード止め手段を成している。コードの巻き込み端１７と巻き出し端１９は各々一定の長さ出したり入れたりすることが出来る。また、ケースを開いて剰コードの長さに応じてコードの巻きの数を調整することが出来る。
【００４４】
図５〜図６は、コードケースの他の実施例を示す。以下の実施例の説明において前に示した実施例と同一の部分や同一の機能を有する部分については、同一の符号にa ,b ,c ,の添え文字を附して示すに止め、なるべくその説明を省略し、主に異なる部分について説明する。
【００４５】
ここで、コードケース１aはその周壁部６aの下壁３a及び上壁２aの内壁側にコード口１８aより巻きコード部１６aのコードの巻き方向に沿ってコードの太さに適合する幅のコード仕切り２４から成る外側案内手段を備える。
これにより、コードをコード仕切り２４内に嵌るように周壁部の内側に螺旋状に巻いて収納することが出来る。
このコード仕切り２４は、この例に止まらず、下壁３aより右側の側壁５、上壁２そして左側の側壁４へと螺旋状に滑らかに続くように周壁部６aの内壁側に形成することも出来る。
これにより、コードをコード仕切り内に嵌るように周壁部の内側にらせん状に巻いて収納することが出来る。
【００４６】
図７〜図８は、コードケースの他の実施例を示す。
ここで、左右に長孔状の正面形状を有するコードケース１ｂの前壁部７ｂと後壁部８ｂには、ケースの上側１０ｂとケースの下側１１ｂの分割線９ｂの位置の中央部分に中央より右方向と左方向にスライド溝２６が設けてある。ケース内の前後のスライド溝の間の中央部に左右一組の案内体２７が背中合わせに設けてある。この案内体２７は各々その先端側に形成された保持溝に回転自由に保持された2個の主ローラ２８と1個の補助ローラ２９から成るコード案内面を備えている。両案内体２７はその前後の部分にスライド溝２６に滑合に嵌るスライド部３０を備えており、図示のケースの中央位置から互いに右と左に離隔する方向にスライド可能に保持されている。
前後のスライド部３０の両端部には外部に露出する操作端３１が形成されており、この前後の操作端３１を摘まんで右の案内体２７を矢印３２のように右方にスライドさせることが出来る。
【００４７】
コード案内面は巻きコード部１６ｂの内側を前後方向に横切り、コード内側案内手段を形成している。コードの巻き込み端１７ｂが引き出されると、巻きコード部１６ｂの輪の内側は案内体２７のコード案内面まで移動して巻付く状態になるが、各輪が消滅することはなく、余剰コード１５ｂのネジレが防止され、コード内側案内手段としてのその重要な機能を果たす。
図７では余剰コード１５ｂが引き出されて巻きコード部１６ｂの右側の巻き輪３３の一部が巻き輪３３’のように右側の案内体２７の案内面に巻き掛っている。右側の案内体２７を矢印３２のようにスライドさせ案内体２７’の位置に移動させることで、巻き輪３３’を元に戻しコードの巻き込み端１７ｂを引き込むことが出来る。
【００４８】
図９〜図１０は、コードケースの他の実施例を示す。
ここで、左右に近似長方形の正面形状を有するコードケース１ｃは、その上下の分割線９ｃ上にその前後を前壁部７ｃと後壁部８ｃに保持されたＨ形の平面形状のホルダー３７を備えている。このホルダー３７はその前部材と後部材を結合部材３９で一体に結合した一体構造である。その前部材と後部材の内側には各々左右方向のスライド溝３８が設けられている。このスライド溝３８部分の内側には背中合わせ配置された２個の案内体４０が保持されている。案内体４０は各々前記スライド溝３８に滑合に嵌るスライド部４１と、先端側のコード案内面と、後端側のバネ受け部４４を備え、スライド溝３８上で滑動可能に保持されている。バネ受け部４４と結合部材３９間には拡張バネ４５が嵌っており、２個の案内体４０は拡張バネ４５の拡張力でそのスライドの限界まで移動しておりコード引き込み手段を構成している。
ここで、両案内体４０の先端側のコード案内面は案内体４０の保持溝部に回転可能に保持されたヘッドローラ４２と2個の補助ローラ４３から成っている。
ローラはもっと大きな直径の１個のローラであってもよい。あるいは、小径の多数のローラであっても良い。あるいは、回転しない滑る曲壁面であっても良い。
【００４９】
余剰コード１５ｃは２個の案内体４０のヘッドローラ４２の外側に螺旋状に多重に巻かれている。コードの巻き込み端１７ｃとコードの巻き出し端１９ｃをコード口より拡張バネの拡張力に打ち勝つ力で引っ張ることで２個の案内体４０を内側へスライドさせ、コードを引き出すことが出来る。一方、コードのケース内への引き込みは拡張バネの助勢をうけて、軽快に行われる。
【００５０】
図１１は、コードケースのさらに他の実施例を示す。正面の形が円形のコードケース１ｄは、その前壁部７ｄ上にその中心部より放射状に配置され、放射方向にスライド可能に保持された４個の案内体４０ｄを備えている。巻きコード１６ｄは４個の案内体４０ｄのコード案内面に螺旋状に巻かれ、拡張バネ４５ｄの拡張力により常にその限界まで拡張されており、コード引き込み手段を構成している。
ここでは、コードの巻き込み端１７ｄと巻き出し端１９ｄとのなす角度は９０°になっている。
このコードケース１ｄは、左側の側壁４ｄの部位に巻き込み側コード口１８ｄを、前記巻き込み側コード口１８ｄより任意の角度離隔した右側の側壁５ｄの部位に一定の範囲周方向に長孔状に伸びる巻き出し側コード口２０ｄを備えており、巻き出し端１９ｄ’で示すように一定の角度傾けて引き出すことが出来る。
【００５１】
図１２〜図１４は、コードケースの他の実施例を示す。
このコードケース１eは、近似長方形の正面の形を有する薄い形のものである。
周壁部６eの上側に設けたヒンジ部４７を支点に前壁部７e側と後壁部8e側に開閉可能に分割されている。図１２は後壁部8eを開いた状態を示している。
巻きコード部分１６eの外側を囲う周壁部６eと、巻きコード部の前側を被う前壁部７eと、巻きコード部の後側を被う後壁部8eと、周壁部６eの左側の側壁４eに開く巻き込み側コード口１８eと、右側の側壁５eに開く巻き出し側コード口２０eを備えている。
巻き込み側コード口１８e より入る余剰コード１５eは前壁部７eの内側に型にはまらない自由な形で収まっているが、２箇所の輪を描いた曲折部（１/２巻き部）の巻きコード部分１６eを形成して巻き出し側コード口２０eより外部に出ている。ケースの収容容積に比べ収納されている余剰コード１５eの量は少ないが、充分に余剰コードの処理の目的を達成している例である。
【００５２】
図１４は巻き込み側コード口１８eの部分を示している。
左側の側壁４eに設けられる巻き込み側コード口１８eは後壁部8e側から前壁部７e側に亘って形成されている。後壁部8e側の口幅と深さはコードの巻き込み端１７eの太さに対して余裕のある寸法に形成されている。一方、前壁部７e側はコードの太さより幅の狭い寸法の保持溝２０eになっている。
そこで、コードを出し入れする時は後壁部8e側のコード口１８e内で行い、位置が決まった時はコードを下の保持溝２０eに押し込むようにして固定するコード止め手段を示している。
【００５３】
図１５〜図１６は、コードケースの他の実施例を示す。
このコードケース１ｆは、長方形の正面の形を有する薄い形のものである。
前壁部７ｆ側と後壁部８ｆ側に開閉可能に分割されており、図１5は後壁部８ｆ側を取外した状態で示した正面図である。前壁部７ｆ上の周壁部６ｆは1本のコード１５ｆの収まる浅い深さの前後幅を有する。
周壁部６ｆの左側の側壁４ｆに巻き込み側コード口１８ｆを、右側の側壁５ｆに巻き出し側コード口２０ｆを備えている。巻き込み側コード口１８ｆ より入る余剰コード１５ｆは前壁部７ｆの内側に左右方向に交互に折り曲げ状に巻かれ右側の巻き出し側コード口２０ｆより外部に出ている。
前壁部７ｆの内壁面上のコードの交互折り曲げ輪の各曲げ輪の内側の位置に左右方向に左スライド溝４９と右スライド溝５０があけられている。各スライド溝内にはこの溝にスライド可能に嵌る左側の案内体５１と右側の案内体５２が設けてある。
前壁部７ｆの裏側には左側の案内体５１を前側より保持する左側のスライドカバー５３と、右側の案内体５２を前側より保持する右側のスライドカバー５４が各々案内体と共に左右にスライド可能に嵌っている。案内体５１と案内体５２の先端部には回転自由に保持されたローラ５５とローラ５６から成るコード案内面が設けられている。
【００５４】
巻き込み側コード口１８ｆから入る余剰コード１５ｆは案内体の外側の空間で折り曲げられて左右の案内体５１と５２を交互に巻き込むように巻かれて巻き出し側コード口２０ｆに向かって進むように収納される。
これにより、両コード口より出ているコードの端１７ｆと１９ｆを引っ張ることで巻きコード部の内側の輪の全てがローラ５５と５６に巻き掛かるまでコードを引き出すことが出来る。そして、左右のスライドカバー５３と５４を矢印の方向に操作してローラ５５と５６をローラ５５’と５６’のように外方へスライドさせることで巻きコード部の各輪を元の位置まで引き戻し、コードを元の位置までケース内に引き込むことが出来る。
【００５５】
図17〜図１８は、コード止め手段の他の実施例を示す。
近似長方形のケースの左側の側壁４ｇの巻き込み側コード口１８ｇに下方側がコードの太さより幅が狭くなった保持溝５７が形成されており、この部分に側壁４ｇより外方へ突出するコード押え部５８が設けてある。このコード押え部５８の中央部にはコードの巻き込み端１７ｇの留る浅い保持部５９が設けてある。このコード押え部５８はコードの巻き込み端１７ｇ部分をより長い幅でより柔軟に保持する。
【００５６】
図１９は、コード止め手段の他の実施例を示す。左右に扁平な楕円形のコードケース１ｈのコード口のボス部６０にコードの巻き込み端１７ｈの外周に緩く嵌る内径を有し、その先方側に外周面がコード口の孔部の大きさより手前側上りに傾斜した傾斜面６１を有する止めブッシュ６４が設けられている。この止めブッシュ６４はその外周に軸方向の切り割６２を有し、手前端には操作用の鍔部６３を備えている。コードの移動を止める時は、鍔部６３をコード口側へ向かって押し込むことで止めブッシュ６４の内径面がコード１７ｈを締付けて移動しないように働く。コードを移動させる時は、鍔部６３をつまんで止め鍔６５が当るまで引き出してコードの締付を開放する。
【符号の説明】
【００５７】
１、１a、１ｂ、１ｃ、１ｄ、１ｅ、１ｆ、１ｇ、１ｈ-------------コードケース
２、２a、２ｂ、２ｃ、２ｅ、２ｆ、２ｈ------------------------------上壁２
３、３a、３ｂ、３ｃ、３ｅ、３ｆ、３ｇ、３ｈ----------------------下壁３
４、４a、４ｂ、４ｃ、４ｄ、４ｅ、４ｆ、４ｇ、４ｈ--------------左側の側壁
５、５a、５ｂ、５ｃ、５ｄ、５ｅ、５ｆ------------------------------右側の側壁
６、６a、６ｂ、６ｃ、６ｄ、６ｅ、６ｆ、６ｈ----------------------周壁部６
７、７a、７ｂ、７ｃ、７ｄ、７ｅ、７ｆ、７ｇ----------------------前壁部
８、８a、８ｂ、８ｃ、８ｄ、８ｅ、８ｆ、８ｇ----------------------後壁部
９、９a、９ｂ、９ｃ、９ｅ、９ｆ、９ｇ、９ｈ----------------------分割線
１０、１０a、１０ｂ、１０ｃ--------------------ケースの上側10
１１、１１a、１１ｂ、１１ｃ--------------------ケースの下側１1
１２、１２a、１２ｂ、１２ｃ、１２ｇ----------肩部
１３、１３a、１３ｂ、１３ｃ、１３ｇ----------掛け爪部
１４、１４a、１４ｂ、１４ｃ、１４ｇ、・・・３ｈ-------------------指掛け部
１５、１５a、１５ｂ、１５ｃ、１５ｅ、１５ｆ、・・・３ｈ--------余剰コード
１６、１６a、１６ｂ、１６ｃ、１６ｄ----------巻きコード部
１６ｅ、１６ｆ、１６ｈ----------------------------巻きコード部
１７、１７a、１７ｂ、１７ｃ、１７ｄ----------コードの巻き込み端
１７ｅ、１７ｆ、１７ｇ、１７ｈ-----------------コードの巻き込み端
１８、１８a、１８ｂ、１８ｃ---------------------コードの巻き込み口
１８ｄ、１８ｅ、１８ｆ、１８ｇ-----------------コードの巻き込み口
１９、１９a、１９ｂ、１９ｃ、１９ｄ、１９ｅ、１９ｆ---コードの巻き出し端
２０、２０ｂ、２０ｃ、２０ｄ、２０ｅ、２０ｆ-------------巻き出し側コード口
２１-----------------第二の巻き出し側コード口
２４-----------------コード仕切り
２６-----------------スライド溝
２７、２７ｇ、----案内体
２８-----------------主ローラ
２９-----------------補助ローラ
３０-----------------スライド部
３１-----------------操作端
３３-----------------巻き輪
３７-----------------ホルダー
３８-----------------スライド溝
３９-----------------結合部材
４０-----------------案内体
４１-----------------スライド部
４２-----------------ヘッドローラ
４３-----------------補助ローラ
４４-----------------バネ受け部
４５-----------------拡張バネ
４７-----------------ヒンジ部
４９-----------------左スライド溝
５０-----------------右スライド溝
５１-----------------左側の案内体
５２-----------------右側の案内体
５３-----------------左側のスライドカバー
５４-----------------右側のスライドカバー
５５、５６---------ローラ
５７-----------------保持溝
５８-----------------コード押え部
５９-----------------保持部
６０-----------------ボス部
６１-----------------傾斜面
６２-----------------切り割
６３-----------------鍔部６３
６４-----------------止めブッシュ
６５-----------------止め鍔
【図１】
2017199889.tif 000003
【図２】
2017199889.tif 000004
【図３】
2017199889.tif 000005
【図４】
2017199889.tif 000006
【図５】
2017199889.tif 000007
【図６】
2017199889.tif 000008
【図７】
2017199889.tif 000009
【図８】
2017199889.tif 000010
【図９】
2017199889.tif 000011
【図１０】
2017199889.tif 000012
【図１１】
2017199889.tif 000013
【図１２】
2017199889.tif 000014
【図１３】
2017199889.tif 000015
【図１４】
2017199889.tif 000016
【図１５】
2017199889.tif 000017
【図１６】
2017199889.tif 000018
【図１７】
2017199889.tif 000019
【図１８】
2017199889.tif 000020
【図１９】
2017199889.tif 000021
【手続補正書】
【提出日】平成29年5月17日(2017.5.17)
【手続補正１】
【補正対象書類名】図面
【補正対象項目名】全図
【補正方法】変更
【補正の内容】
【図１】
2017199889.tif 000022
【図２】
2017199889.tif 000023
【図３】
2017199889.tif 000024
【図４】
2017199889.tif 000025
【図５】
2017199889.tif 000026
【図６】
2017199889.tif 000027
【図７】
2017199889.tif 000028
【図８】
2017199889.tif 000029
【図９】
2017199889.tif 000030
【図１０】
2017199889.tif 000031
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
その内壁がコードの太さを超える前後方向の幅を有し巻きコード部の周りを囲う周壁部からなる外側案内手段と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、コードの巻きコード部を内部に収納する開閉可能に分割されたコードケース。
【請求項２】
周壁部の内側に巻きコード部のコードの巻き方向に沿ってコードの太さに適合する幅のコード仕切りから成る外側案内手段を備えることを特徴とする請求項１記載のコードケース。
【請求項３】
周壁部の内側に巻きコード部のコードの巻き方向に沿ってコードの太さに適合する幅のコード仕切りの外側案内手段を設け、巻き込み側コード口と巻き出し側コード口との間で、コードをコード仕切り内に嵌るように螺旋状に巻いた巻きコード部を形成して収納したことを特徴とする請求項１記載のコードケース。
【請求項４】
近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される一組の案内体から成るコード案内手段を備えることを特徴とする請求項１又は３記載のコードケース。
【手続補正書】
【提出日】平成29年5月17日(2017.5.17)
【手続補正１】
【補正対象書類名】明細書
【補正対象項目名】全文
【補正方法】変更
【補正の内容】
【発明の詳細な説明】
【技術分野】
【０００１】
本発明は、電気器具（以後は単に器具と呼ぶ）等で使用する電気コード（以後は単にコードと呼ぶ）などを収納するコードケースに関するものである。
特に、コード端部のプラグやソケット等の接続器具を含まない1本のコードの間の部分を収納するケースである。このケースは器具の配線の際に生ずる余剰部分を収納して配線の美観を高めることが出来る。
【背景技術】
【０００２】
市場には、例えば、長さ０．５ｍあるいは長さ３ｍなどの電気用の延長コードが多く見られる。器具の位置から離れた位置にソケットなどの接続口がある場合などに用いるものとしては、電源取出し用のリールスタンドなどがある。
固定して使用する器具などに付属するコードは、一般に、器具の設置や取り扱いの上で不便を来たさない程度の余裕のある長さが与えられている。
そこで、器具の設置位置の傍近くに電源用ソケット等の接続口がある時は、コードの長さの余剰部分はそのまま巻いたり折り曲げたりして器具の近くに置くなどの処理ですまされてきた。
延長コードを使用する際も、長さの余剰部分は同様にして処理されている。
容器内に連結コンセントを置き、複数のコードを容器外に取り出すようにした電気コード収納容器などが市販されている。
【先行技術文献】
【特許文献】
【０００３】
【特許文献１】特開平９−２９３９７８広報
【特許文献２】特開２００２−６３９６９広報
【特許文献２】特開２００２−２４１０５８号広報
【特許文献４】特開２００８−２７０５１３号広報
【発明の概要】
【発明が解決しようとする課題】
【０００４】
前述のような従来の余剰コードの処理の仕方では、コードが室内など周囲の美観を損ね、好ましくない使用状態に置かれるなどしてきた。また、纏まりなく置かれたコードは埃を被り易い上に、掃除や色々な作業の際の邪魔になった。
ここに、電気器具などのコードの配線が室内の美観を損なうことなく、また、掃除や日常の作業などの邪魔にならない余剰コードの処理手段が望まれる。
【０００５】
本発明の目的は、コードの配線の際に生ずる余分な長さの部分を小さく形よく収納し、配線の乱れの見えないすっきりした配線の出来るコードケースを提供することである。
本発明の他の目的は、配線のコードをコード口より引き出したり、戻したりたりすることが出来、コードを弛みのない真直ぐな状態で使用できるコードケースを提供することである。
本発明のさらに他の目的は、コードを螺旋状に巻いて収納出来るコンパクトなコードケースを提供することである。
本発明のさらに他の目的は、ケース内にコードの案内手段を設け、巻きの乱れのない円滑なコードの出し入れの行われるコードケースを提供することである。
本発明のさらに他の目的は、コードケース内の巻きの原形が維持され、コードのねじれや乱れが生じないコードケースを提供することである。
本発明のさらに他の目的は、ケースをコードの配線ラインに沿って置け、配線の流れを乱さない形状のコードケースを提供することである。
本発明のさらに他の目的は、ケースを開いて巻きコードの巻き数を加減出来るコードケースを提供することである。
本発明のさらに他の目的は、ケース内部でのコードの移動抵抗が小さく、コードの出し入れが軽快に出来るコードケースを提供することである。
本発明のさらに他の目的は、ケース内へのコードの引き込みが軽快に出来る扱い易いコードケースを提供することである。
本発明のさらに他の目的は、ケースのコード口の部分に簡単な操作で確りコードの移動止めが行われるコードケースを提供することである。
【課題を解決するための手段】
【０００６】
上記の目的を達成する為に、本発明は、その内壁がコードの太さを超える前後方向の幅を有し巻きコード部の周りを囲う周壁部から成る外側案内手段と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、コードの巻きコード部を内部に収納する開閉可能に分割されたコードケースを提供する。
【０００７】
ここで、巻きコードとは、コードを少なくとも半巻き（１/２回巻き）以上に巻いたものである。半巻きとはコードを輪の形を形成して折り曲げ状にしたものを含んでいる。
また、ケース内でのコードの巻き方は、必ずしも規則正しく巻かれたもののみに限定されない。巻きの位置や大きさなどに幾分の乱れがあっても巻きコード部の収納の目的は達成される。
【０００８】
また、ケース内の巻き込み側コード口と巻き出し側コード口との間で、コードを螺旋状に巻いた巻きコード部を形成して収納するコードケースを提供する。
【０００９】
また、ケースの周壁部の内側に巻きコード部のコードの巻き方向に沿ってコードの太さに適合する幅のコード仕切りから成る外側案内手段を備えるコードケースを提供する。
【００１０】
また、近似長方形のケースの左右の短辺側の側壁に設けた巻き込み側コード口と、短辺側の側壁の他の部位に設けた巻き出し側コード口を備えるコードケースを提供する。
ここに、近似長方形とは、正面の形が長孔や左右に扁平な楕円形を含む長方形の形ことを言う。
【００１１】
また、近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される左右一組の案内体から成るコード案内手段を備えるコードケースを提供する。
【００１２】
また、コード案内手段の案内体がその先端側に回転自由に保持されたローラから成るコード案内面を備えるコードケースを提供する。
【００１３】
また、コード口の下方側にコードの太さより幅の狭い保持溝を形成し、この部位に側壁の外側に突出する形のコード押え部を備えるコード止め手段を備えるコードケースを提供する。
【００１４】
本発明のコードケースは、半透明あるいは透明のプラスチック樹脂製として内部が見えるようにしておくことも出来る。又、柔軟なビニール製とすることも出来る。ケースの一部に壁などに固定するための孔や引掛け用のフック部を設けておくことも推奨される。
【発明の効果】
【００１５】
本発明は、以上説明したように構成されるので、以下に記載されるような効果を奏する。
【００１６】
コードをケース内で巻きコード部を形成して収納し、ケースの周りの壁部の二つのコード口から必要な長さのコードを引き出せる開閉可能のコードケースとしたので、コードの配線の際などに生ずる余剰コード部分が小さく形よく収納され、家具の隅などに乱れた配線の見えない、掃除等の邪魔にならないすっきりした配線が出来る。
【００１７】
また、ケースを開いて巻きコード部の巻きの数を加減して長さを調節したり、巻きコードの乱れを直したりすることが出来る扱いやすいコードケースが得られる。
【００１８】
また、コードを螺旋状に巻いた巻きコード部とすることで、コードが小さくまとまり良く収納される。且つ、コードが規則正しく巻かれるので、より円滑なコードの出し入れ操作の出来るコンパクトなコードケースが得られる。
【００１９】
また、コードケースの周壁部の内側にコードの巻き方向に沿ってコードの太さに適合する幅のコード仕切りから成る外側案内手段を設けることで、巻きコード部の巻きの乱れが防止され、コード口からのより円滑なコードの出し入れが行われる。
【００２０】
また、近似長方形のケースの二つの短辺側の一方の側に巻き込み側コード口を、短辺側の他方の側に巻き出し側コード口を備えるコードケースとすることで、細長いケースをコードの配線のラインに沿って置ける、あるいは、配線ラインの角部に置いてコードを直角に流すなどの一層自由な配線が可能な扱いやすいコードケースが得られる。
【００２１】
また、近似長方形のケースの前壁部と後壁部に左右方向のスライド溝を設け、該スライド溝上に巻きコード部の巻き輪の内側で滑動可能に保持される左右一組の案内体から成るコード案内手段を設けることで、案内体のスライド操作によるコードのケース内への円滑な引き込みが出来るコードケースが得られる。
【００２２】
また、コード案内手段の案内体がその先端側に回転自由に保持されたローラから成るコード案内面を備えるようにすることで、コードの移動抵抗が軽減されより軽快なコードの出し入れ操作の出来るコードケースが得られる。
【００２３】
また、ケースのコード口の下方側にコードの太さより幅の狭い保持溝を形成し、この部位に側壁の外側に突出する形のコード押え部を備えるコード止め手段を設けることで、コード部分をより長い幅で柔軟に保持してコードを傷めずに確り保持するコード止め手段を備えるコードケースが得られる。
【図面の簡単な説明】
【００２４】
【図１】本発明の実施形態を示す図で、一部を破断して示す正面図
【図２】図１における２−２矢視断面図
【図３】同ケースの左側面図
【図４】同ケースの右側面図
【図５】本発明の他の実施例を示す図で、一部を破断して示す正面図
【図６】図５における６−６矢視断面図
【図７】本発明の他の実施例を示す図で、一部を破断して示す正面図
【図８】図７における８−８矢視断面図
【図９】本発明の他の実施例を示す図で、コードケースの左側面図
【図１０】図９における１０−１０矢視断面図
【発明を実施するための形態】
【００２５】
以下、本発明の実施の形態を実施例に基づいて説明する。
図１〜図４は、コードケースの一実施例を示す。柔軟性を持つプラスチック製のコードケース１は上壁２、下壁３、左側の側壁４、右側の側壁５からなる周壁部６と前壁部７及び後壁部８を有する左右に長い近似長方形の正面形状を有している。このケースは分割線9の位置でケースの上側10とケースの下側１1の上下に二分割されており、ケースの下側１1の上縁の左右の肩部１2をケースの上側10の掛け爪部１3で引掛けて保持して一体化している。ケースを開く時にはケースの上側の指掛け部１４を外に開いて掛け爪部１３の掛かりを外す。ケースの内部には螺旋状に巻かれた余剰コード１５が収納されている。収納された余剰コードの巻きコード部１６は自ずとコードケース１の周壁部６の内壁の形に倣う。
【００２６】
左右の側壁には各々２本の縦の長孔状のコード口が形成されている。
この例において、コードの巻き込み端１７は周壁部６の左側の側壁４の一部位に設けた巻き込み側コード口１８よりコードケース１内に入り、ケース内で巻きコード部１６を形成し、その巻き出し端１９は周壁部６の右側の側壁５の一部位に設けた巻き出し側コード口２０より外部へ出る。しかし、コードの巻き出し端は左側の側壁４の他の部位に設けた第二の巻き出し側コード口２１より巻き出し端１９′のように外部へ出すことも出来る。
巻き込み及び巻き出しの各コード口は縦の長孔状を有し、その幅は下側に向かってコードの直径より狭く造られ略楔形をしており、下へ押し下げられたコードの動きを抑えるコード止め手段を成している。コードの巻き込み端１７と巻き出し端１９は各々一定の長さ出したり入れたりすることが出来る。また、ケースを開いて余剰コードの長さに応じてコードの巻きの数を調整することが出来る。
【００２７】
図５〜図６は、コードケースの他の実施例を示す。以下の実施例の説明において前に示した実施例と同一の部分や同一の機能を有する部分については、同一の符号にa ,b ,c の添え文字を附して示すに止め、なるべくその説明を省略し、主に異なる部分について説明する。
【００２８】
ここで、コードケース１aはその周壁部６aの下壁３a及び上壁２aの内壁側にコード口１８aより巻きコード部１６aのコードの巻き方向に沿ってコードの太さに適合する幅のコード仕切り２４から成る外側案内手段を備える。
これにより、コードをコード仕切り２４内に嵌るように周壁部の内側に螺旋状に巻いて収納することが出来る。
このコード仕切り２４は、この例に止まらず、下壁３aより右側の側壁５、上壁２そして左側の側壁４へと螺旋状に滑らかに続くように周壁部６aの内壁側に形成することも出来る。
これにより、コードをコード仕切り内に嵌るように周壁部の内側に螺旋状に巻いて収納することが出来る。
【００２９】
図７〜図８は、コードケースの他の実施例を示す。
ここで、左右に長孔状の正面形状を有するコードケース１ｂの前壁部７ｂと後壁部８ｂには、ケースの上側１０ｂとケースの下側１１ｂの分割線９ｂの位置の中央部分に中央より右方向と左方向にスライド溝２６が設けてある。ケース内の前後のスライド溝の間の中央部に左右一組の案内体２７が背中合わせに設けてある。この案内体２７は各々その先端側に形成された保持溝に回転自由に保持された2個の主ローラ２８と1個の補助ローラ２９から成るコード案内面を備えている。両案内体２７はその前後の部分にスライド溝２６に滑合に嵌るスライド部３０を備えており、図示のケースの中央位置から互いに右と左に離隔する方向にスライド可能に保持されている。
前後のスライド部３０の両端部には外部に露出する操作端３１が形成されており、この前後の操作端３１を摘まんで右の案内体２７を矢印３２のように右方にスライドさせることが出来る。
【００３０】
コード案内面は巻きコード部１６ｂの内側を前後方向に横切り、コード内側案内手段を形成している。コードの巻き込み端１７ｂが引き出されると、巻きコード部１６ｂの輪の内側は案内体２７のコード案内面まで移動して巻付く状態になるが、各輪が消滅することはなく、余剰コード１５ｂのネジレが防止され、コード内側案内手段としてのその重要な機能を果たす。
図７では余剰コード１５ｂが引き出されて巻きコード部１６ｂの右側の巻き輪３３の一部が巻き輪３３′のように右側の案内体２７の案内面に巻き掛っている。右側の案内体２７を矢印３２のようにスライドさせ案内体２７′の位置に移動させることで、巻き輪３３′を元に戻しコードの巻き込み端１７ｂを引き込むことが出来る。
【００３１】
図９〜図１０は、コード止め手段の他の実施例を示す。
柔軟性を持つプラスチック製のコードケース１ｃの左側の側壁４ｃの巻き込み側コード口１８ｃの下方側にコードの太さより幅が狭くなった保持溝３４が形成されており、この部分に側壁４ｃより外方へ突出するコード押え部３５が設けてある。このコード押え部３５の中央部にはコードの巻き込み端１７ｃの留る浅い保持部３６が設けてある。このコード押え部３５はコードの巻き込み端１７ｃ部分をより長い幅でより柔軟に保持する。
【符号の説明】
【００３２】
１、１a、１ｂ-------------コードケース
２、２a、２ｂ-------------上壁２
３、３a、３ｂ-------------下壁３
４、４a、４ｂ、４ｃ---------左側の側壁
５、５a、５ｂ-------------右側の側壁
６、６a、６ｂ-------------周壁部６
７、７a、７ｂ-------------前壁部
８、８a、８ｂ-------------後壁部
９、９a、９ｂ-------------分割線
１０、１０a、１０ｂ---------ケースの上側10
１１、１１a、１１ｂ---------ケースの下側１1
１２、１２a、１２ｂ---------肩部
１３、１３a、１３ｂ---------掛け爪部
１４、１４a、１４ｂ---------指掛け部
１５、１５a、１５ｂ---------余剰コード
１６、１６a、１６ｂ---------巻きコード部
１７、１７a、１７ｂ、１７ｃ----コードの巻き込み端
１８、１８a、１８ｂ、１８ｃ----コードの巻き込み口
１９、１９a、１９ｂ---------コードの巻き出し端
２０、２０ｂ--------------巻き出し側コード口
２１-------------------第二の巻き出し側コード口
２４-------------------コード仕切り
２６-------------------スライド溝
２７、２７′-------------案内体
２８-------------------主ローラ
２９-------------------補助ローラ
３０-------------------スライド部
３１-------------------操作端
３３、３３′-------------巻き輪
３４-------------------保持溝
３５-------------------コード押え部
３６-------------------保持部
３７-------------------溝
【手続補正書】
【提出日】平成29年6月7日(2017.6.7)
【手続補正１】
【補正対象書類名】図面
【補正対象項目名】全図
【補正方法】変更
【補正の内容】
【図１】
2017199889.tif 000032
【図２】
2017199889.tif 000033
【図３】
2017199889.tif 000034
【図４】
2017199889.tif 000035
【図５】
2017199889.tif 000036
【図６】
2017199889.tif 000037
【図７】
2017199889.tif 000038
【図８】
2017199889.tif 000039
【図９】
2017199889.tif 000040
【図１０】
2017199889.tif 000041
【図１１】
2017199889.tif 000042
【手続補正書】
【提出日】平成29年6月7日(2017.6.7)
【手続補正１】
【補正対象書類名】明細書
【補正対象項目名】全文
【補正方法】変更
【補正の内容】
【発明の詳細な説明】
【技術分野】
【０００１】
本発明は、電気器具（以後は単に器具と呼ぶ）等で使用する電気コード（以後は単にコードと呼ぶ）などを収納するコードケースに関するものである。
特に、コード端部のプラグやソケット等の接続器具を含まない1本のコードの間の部分を収納するケースである。このケースは器具の配線の際に生ずる余剰部分を収納して配線の美観を高めることが出来る。
【背景技術】
【０００２】
市場には、例えば、長さ０．５ｍあるいは長さ３ｍなどの電気用の延長コードが多く見られる。器具の位置から離れた位置にソケットなどの接続口がある場合などに用いるものとしては、電源取出し用のリールスタンドなどがある。
固定して使用する器具などに付属するコードは、一般に、器具の設置や取り扱いの上で不便を来たさない程度の余裕のある長さが与えられている。
そこで、器具の設置位置の傍近くに電源用ソケット等の接続口がある時は、コードの長さの余剰部分はそのまま巻いたり折り曲げたりして器具の近くに置くなどの処理ですまされてきた。
延長コードを使用する際も、長さの余剰部分は同様にして処理されている。
容器内に連結コンセントを置き、複数のコードを容器外に取り出すようにした電気コード収納容器などが市販されている。
【先行技術文献】
【特許文献】
【０００３】
【特許文献１】特開平９−２９３９７８広報
【特許文献２】特開２００２−６３９６９広報
【特許文献２】特開２００２−２４１０５８号広報
【特許文献４】特開２００８−２７０５１３号広報
【発明の概要】
【発明が解決しようとする課題】
【０００４】
前述のような従来の余剰コードの処理の仕方では、コードが室内など周囲の美観を損ね、好ましくない使用状態に置かれるなどしてきた。また、纏まりなく置かれたコードは埃を被り易い上に、掃除や色々な作業の際の邪魔になった。
ここに、電気器具などのコードの配線が室内の美観を損なうことなく、また、掃除や日常の作業などの邪魔にならない余剰コードの処理手段が望まれる。
【０００５】
本発明の目的は、コードの配線の際に生ずる余分な長さの部分を小さく形よく収納し、配線の乱れの見えないすっきりした配線の出来るコードケースを提供することである。
本発明の他の目的は、配線のコードをコード口より引き出したり、戻したりたりすることが出来、コードを弛みのない真直ぐな状態で使用できるコードケースを提供することである。
本発明のさらに他の目的は、コードを螺旋状に巻いて収納出来るコンパクトなコードケースを提供することである。
本発明のさらに他の目的は、ケース内にコードの案内手段を設け、巻きの乱れのない円滑なコードの出し入れの行われるコードケースを提供することである。
本発明のさらに他の目的は、コードケース内の巻きの原形が維持され、コードのねじれや乱れが生じないコードケースを提供することである。
本発明のさらに他の目的は、ケースをコードの配線ラインに沿って置け、配線の流れを乱さない形状のコードケースを提供することである。
本発明のさらに他の目的は、ケースを開いて巻きコードの巻き数を加減出来るコードケースを提供することである。
本発明のさらに他の目的は、ケース内部でのコードの移動抵抗が小さく、コードの出し入れが軽快に出来るコードケースを提供することである。
本発明のさらに他の目的は、ケース内へのコードの引き込みが軽快に出来る扱い易いコードケースを提供することである。
本発明のさらに他の目的は、ケースのコード口の部分に簡単な操作で確りコードの移動止めが行われるコードケースを提供することである。
【課題を解決するための手段】
【０００６】
上記の目的を達成する為に、本発明は、その内壁がコードの太さを超える前後方向の幅を有し巻きコード部の周りを囲う周壁部から成る外側案内手段と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、コードの巻きコード部を内部に収納する開閉可能に分割されたコードケースを提供する。
【０００７】
ここで、巻きコードとは、コードを少なくとも半巻き（１/２回巻き）以上に巻いたものである。半巻きとはコードを輪の形を形成して折り曲げ状にしたものを含んでいる。
また、ケース内でのコードの巻き方は、必ずしも規則正しく巻かれたもののみに限定されない。巻きの位置や大きさなどに幾分の乱れがあっても巻きコード部の収納の目的は達成される。
【０００８】
また、ケース内の巻き込み側コード口と巻き出し側コード口との間で、コードを螺旋状に巻いた巻きコード部を形成して収納するコードケースを提供する。
【０００９】
また、ケースの周壁部の内側に巻きコード部のコードの巻き方向に沿ってコードの太さに適合する幅のコード仕切りから成る外側案内手段を備えるコードケースを提供する。
【００１０】
また、近似長方形のケースの左右の短辺側の側壁に設けた巻き込み側コード口と、短辺側の側壁の他の部位に設けた巻き出し側コード口を備えるコードケースを提供する。
ここに、近似長方形とは、正面の形が長孔や左右に扁平な楕円形を含む長方形の形ことを言う。
【００１１】
また、近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される左右一組の案内体から成るコード案内手段を備えるコードケースを提供する。
【００１２】
また、コード案内手段の案内体がその先端側に回転自由に保持されたローラから成るコード案内面を備えるコードケースを提供する。
【００１３】
また、コード口の下方側にコードの太さより幅の狭い保持溝を形成し、この部位に側壁の外側に突出する形のコード押え部を備えるコード止め手段を備えるコードケースを提供する。
【００１４】
また、コード口の部分にその内径がコードの外径に緩く適合した大きさを有し、その先方側の外周面がコード口の孔部の大きさより手前側上りに傾斜した傾斜面を成し、その手前端側に鍔部を有すると共にその周壁に軸方向の切り割を有する止めブッシュから成るコード止め手段を備えるコードケースを提供する。
【００１５】
本発明のコードケースは、半透明あるいは透明のプラスチック樹脂製として内部が見えるようにしておくことも出来る。又、柔軟なビニール製とすることも出来る。ケースの一部に壁などに固定するための孔や引掛け用のフック部を設けておくことも推奨される。
【発明の効果】
【００１６】
本発明は、以上説明したように構成されるので、以下に記載されるような効果を奏する。
【００１７】
コードをケース内で巻きコード部を形成して収納し、ケースの周りの壁部の二つのコード口から必要な長さのコードを引き出せる開閉可能のコードケースとしたので、コードの配線の際などに生ずる余剰コード部分が小さく形よく収納され、家具の隅などに乱れた配線の見えない、掃除等の邪魔にならないすっきりした配線が出来る。
【００１８】
また、ケースを開いて巻きコード部の巻きの数を加減して長さを調節したり、巻きコードの乱れを直したりすることが出来る扱いやすいコードケースが得られる。
【００１９】
また、コードを螺旋状に巻いた巻きコード部とすることで、コードが小さくまとまり良く収納される。且つ、コードが規則正しく巻かれるので、より円滑なコードの出し入れ操作の出来るコンパクトなコードケースが得られる。
【００２０】
また、コードケースの周壁部の内側にコードの巻き方向に沿ってコードの太さに適合する幅のコード仕切りから成る外側案内手段を設けることで、巻きコード部の巻きの乱れが防止され、コード口からのより円滑なコードの出し入れが行われる。
【００２１】
また、近似長方形のケースの二つの短辺側の一方の側に巻き込み側コード口を、短辺側の他方の側に巻き出し側コード口を備えるコードケースとすることで、細長いケースをコードの配線のラインに沿って置ける、あるいは、配線ラインの角部に置いてコードを直角に流すなどの一層自由な配線が可能な扱いやすいコードケースが得られる。
【００２２】
また、近似長方形のケースの前壁部と後壁部に左右方向のスライド溝を設け、該スライド溝上に巻きコード部の巻き輪の内側で滑動可能に保持される左右一組の案内体から成るコード案内手段を設けることで、案内体のスライド操作によるコードのケース内への円滑な引き込みが出来るコードケースが得られる。
【００２３】
また、コード案内手段の案内体がその先端側に回転自由に保持されたローラから成るコード案内面を備えるようにすることで、コードの移動抵抗が軽減されより軽快なコードの出し入れ操作の出来るコードケースが得られる。
【００２４】
また、ケースのコード口の下方側にコードの太さより幅の狭い保持溝を形成し、この部位に側壁の外側に突出する形のコード押え部を備えるコード止め手段を設けることで、コード部分をより長い幅で柔軟に保持してコードを傷めずに確り保持するコード止め手段を備えるコードケースが得られる。
【００２５】
また、コード口の部分にその先方側の外周面がコード口の孔部の大きさより手前側上りに傾斜した傾斜面を成し、その手前端側に鍔部を有すると共にその周壁に軸方向の切り割を有する止めブッシュのコード止め手段を設けることで、一層強固にコードの移動が押えられるコードケースが得られる。
【図面の簡単な説明】
【００２６】
【図１】本発明の実施形態を示す図で、一部を破断して示す正面図
【図２】図１における２−２矢視断面図
【図３】同ケースの左側面図
【図４】同ケースの右側面図
【図５】本発明の他の実施例を示す図で、一部を破断して示す正面図
【図６】図５における６−６矢視断面図
【図７】本発明の他の実施例を示す図で、一部を破断して示す正面図
【図８】図７における８−８矢視断面図
【図９】本発明の他の実施例を示す図で、コードケースの左側面図
【図１０】図９における１０−１０矢視断面図
【図１１】本発明の他の実施例を示す図で、コード止め手段の部分を示す部分正面断面図である。
【発明を実施するための形態】
【００２７】
以下、本発明の実施の形態を実施例に基づいて説明する。
図１〜図４は、コードケースの一実施例を示す。柔軟性を持つプラスチック製のコードケース１は上壁２、下壁３、左側の側壁４、右側の側壁５からなる周壁部６と前壁部７及び後壁部８を有する左右に長い近似長方形の正面形状を有している。このケースは分割線9の位置でケースの上側10とケースの下側１1の上下に二分割されており、ケースの下側１1の上縁の左右の肩部１2をケースの上側10の掛け爪部１3で引掛けて保持して一体化している。ケースを開く時にはケースの上側の指掛け部１４を外に開いて掛け爪部１３の掛かりを外す。ケースの内部には螺旋状に巻かれた余剰コード１５が収納されている。収納された余剰コードの巻きコード部１６は自ずとコードケース１の周壁部６の内壁の形に倣う。
【００２８】
左右の側壁には各々２本の縦の長孔状のコード口が形成されている。
この例において、コードの巻き込み端１７は周壁部６の左側の側壁４の一部位に設けた巻き込み側コード口１８よりコードケース１内に入り、ケース内で巻きコード部１６を形成し、その巻き出し端１９は周壁部６の右側の側壁５の一部位に設けた巻き出し側コード口２０より外部へ出る。しかし、コードの巻き出し端は左側の側壁４の他の部位に設けた第二の巻き出し側コード口２１より巻き出し端１９′のように外部へ出すことも出来る。
巻き込み及び巻き出しの各コード口は縦の長孔状を有し、その幅は下側に向かってコードの直径より狭く造られ略楔形をしており、下へ押し下げられたコードの動きを抑えるコード止め手段を成している。コードの巻き込み端１７と巻き出し端１９は各々一定の長さ出したり入れたりすることが出来る。また、ケースを開いて余剰コードの長さに応じてコードの巻きの数を調整することが出来る。
【００２９】
図５〜図６は、コードケースの他の実施例を示す。以下の実施例の説明において前に示した実施例と同一の部分や同一の機能を有する部分については、同一の符号にa 、b 、c の添え文字を附して示すに止め、なるべくその説明を省略し、主に異なる部分について説明する。
【００３０】
ここで、コードケース１aはその周壁部６aの下壁３a及び上壁２aの内壁側にコード口１８aより巻きコード部１６aのコードの巻き方向に沿ってコードの太さに適合する幅のコード仕切り２４から成る外側案内手段を備える。
これにより、コードをコード仕切り２４内に嵌るように周壁部の内側に螺旋状に巻いて収納することが出来る。
このコード仕切り２４は、この例に止まらず、下壁３aより右側の側壁５a、上壁２aそして左側の側壁４aへと螺旋状に滑らかに続くように周壁部６aの内壁側に形成することも出来る。
これにより、コードをコード仕切り内に嵌るように周壁部の内側に螺旋状に巻いて収納することが出来る。
【００３１】
図７〜図８は、コードケースの他の実施例を示す。
ここで、左右に長孔状の正面形状を有するコードケース１ｂの前壁部７ｂと後壁部８ｂには、ケースの上側１０ｂとケースの下側１１ｂの分割線９ｂの位置の中央部分に中央より右方向と左方向にスライド溝２６が設けてある。ケース内の前後のスライド溝の間の中央部に左右一組の案内体２７が背中合わせに設けてある。この案内体２７は各々その先端側に形成された保持溝に回転自由に保持された2個の主ローラ２８と1個の補助ローラ２９から成るコード案内面を備えている。両案内体２７はその前後の部分にスライド溝２６に滑合に嵌るスライド部３０を備えており、図示のケースの中央位置から互いに右と左に離隔する方向にスライド可能に保持されている。
前後のスライド部３０の両端部には外部に露出する操作端３１が形成されており、この前後の操作端３１を摘まんで右の案内体２７を矢印３２のように右方にスライドさせることが出来る。
【００３２】
コード案内面は巻きコード部１６ｂの内側を前後方向に横切り、コード内側案内手段を形成している。コードの巻き込み端１７ｂが引き出されると、巻きコード部１６ｂの輪の内側は案内体２７のコード案内面まで移動して巻付く状態になるが、各輪が消滅することはなく、余剰コード１５ｂのネジレが防止され、コード内側案内手段としてのその重要な機能を果たす。
図７では余剰コード１５ｂが引き出されて巻きコード部１６ｂの右側の巻き輪３３の一部が巻き輪３３′のように右側の案内体２７の案内面に巻き掛っている。右側の案内体２７を矢印３２のようにスライドさせ案内体２７′の位置に移動させることで、巻き輪３３′を元に戻しコードの巻き込み端１７ｂを引き込むことが出来る。
【００３３】
図９〜図１０は、コード止め手段の他の実施例を示す。
柔軟性を持つプラスチック製のコードケース１ｃの左側の側壁４ｃの巻き込み側コード口１８ｃの下方側にコードの太さより幅が狭くなった保持溝３４が形成されており、この部分に側壁４ｃより外方へ突出するコード押え部３５が設けてある。このコード押え部３５の中央部にはコードの巻き込み端１７ｃの留る浅い保持部３６が設けてある。このコード押え部３５はコードの巻き込み端１７ｃ部分をより長い幅でより柔軟に保持する。
【００３４】
図１１は、コード止め手段の他の実施例を示す。左右に扁平な楕円形のコードケース１dのコード口のボス部４０にコードの巻き込み端１７ｄの外周に緩く嵌る内径を有し、その先方側に外周面がコード口の孔部の大きさより手前側上りに傾斜した傾斜面４１を有する止めブッシュ４４が設けられている。この止めブッシュ４４はその外周に軸方向の切り割４２を有し、手前端には操作用の鍔部４３を備えている。コードの移動を止める時は、鍔部４３をコード口側へ向かって押し込むことで止めブッシュ４４の内径面がコード１７dを締付けて移動しないように働く。コードを移動させる時は、鍔部４３をつまんで止め鍔４５が当るまで引き出してコードの締付を開放する。
【符号の説明】
【００３５】
１、１a、１ｂ、１c、１d-----コードケース
２、２a、２ｂ、２c、２d-----上壁２
３、３a、３ｂ、３c、３d-----下壁３
４、４a、４ｂ、４ｃ、４d-----左側の側壁
５、５a、５ｂ-------------右側の側壁
６、６a、６ｂ、６d---------周壁部６
７、７a、７ｂ、７c---------前壁部
８、８a、８ｂ、８c---------後壁部
９、９a、９ｂ、９c、９d------分割線
１０、１０a、１０ｂ---------ケースの上側10
１１、１１a、１１ｂ---------ケースの下側１1
１２、１２a、１２ｂ、１２c----肩部
１３、１３a、１３ｂ、１３c----掛け爪部
１４、１４a、１４ｂ、１４c----指掛け部
１５、１５a、１５ｂ---------余剰コード
１６、１６a、１６ｂ、１６d----巻きコード部
１７、１７a、１７ｂ、１７ｃ、１７d----コードの巻き込み端
１８、１８a、１８ｂ、１８ｃ----コードの巻き込み口
１９、１９a、１９ｂ---------コードの巻き出し端
２０、２０ｂ--------------巻き出し側コード口
２１-------------------第二の巻き出し側コード口
２４-------------------コード仕切り
２６-------------------スライド溝
２７、２７′-------------案内体
２８-------------------主ローラ
２９-------------------補助ローラ
３０-------------------スライド部
３１-------------------操作端
３３、３３′-------------巻き輪
３４-------------------保持溝
３５-------------------コード押え部
３６-------------------保持部
３７-------------------溝
４０-------------------ボス部
４１-------------------傾斜面
４２-------------------切り割
４３-------------------鍔部
４４-------------------止めブッシュ
４５-------------------止め鍔
【手続補正書】
【提出日】平成29年8月30日(2017.8.30)
【手続補正１】
【補正対象書類名】明細書
【補正対象項目名】全文
【補正方法】変更
【補正の内容】
【発明の詳細な説明】
【技術分野】
【０００１】
本発明は、電気器具（以後は単に器具と呼ぶ）等で使用する電気コード（以後は単にコードと呼ぶ）などを収納するコードケースに関するものである。
特に、コード端部のプラグやソケット等の接続器具を含まない1本のコードの間の部分を収納するケースである。このケースは器具の配線の際に生ずる余剰部分を収納して配線の美観を高めることが出来る。
【背景技術】
【０００２】
市場には、例えば、長さ０．５ｍあるいは長さ３ｍなどの電気用の延長コードが多く見られる。器具の位置から離れた位置にソケットなどの接続口がある場合などに用いるものとしては、電源取出し用のリールスタンドなどがある。
固定して使用する器具などに付属するコードは、一般に、器具の設置や取り扱いの上で不便を来たさない程度の余裕のある長さが与えられている。
そこで、器具の設置位置の傍近くに電源用ソケット等の接続口がある時は、コードの長さの余剰部分はそのまま巻いたり折り曲げたりして器具の近くに置くなどの処理ですまされてきた。
延長コードを使用する際も、長さの余剰部分は同様にして処理されている。
容器内に連結コンセントを置き、複数のコードを容器外に取り出すようにした電気コード収納容器などが市販されている。
【先行技術文献】
【特許文献】
【０００３】
【特許文献１】特開平９−２９３９７８広報
【特許文献２】特開２００２−６３９６９広報
【特許文献２】特開２００２−２４１０５８号広報
【特許文献４】特開２００８−２７０５１３号広報
【発明の概要】
【発明が解決しようとする課題】
【０００４】
前述のような従来の余剰コードの処理の仕方では、コードが室内など周囲の美観を損ね、好ましくない使用状態に置かれるなどしてきた。また、纏まりなく置かれたコードは埃を被り易い上に、掃除や色々な作業の際の邪魔になった。
ここに、電気器具などのコードの配線が室内の美観を損なうことなく、また、掃除や日常の作業などの邪魔にならない余剰コードの処理手段が望まれる。
【０００５】
本発明の目的は、コードの配線の際に生ずる余分な長さの部分を小さく形よく収納し、配線の乱れの見えないすっきりした配線の出来るコードケースを提供することである。
本発明の他の目的は、配線のコードをコード口より引き出したり、戻したりたりすることが出来、コードを弛みのない真直ぐな状態で使用できるコードケースを提供することである。
本発明のさらに他の目的は、コードを螺旋状に巻いて収納出来るコンパクトなコードケースを提供することである。
本発明のさらに他の目的は、ケース内にコードの案内手段を設け、巻きの乱れのない円滑なコードの出し入れの行われるコードケースを提供することである。
本発明のさらに他の目的は、コードケース内の巻きの原形が維持され、コードのねじれや乱れが生じないコードケースを提供することである。
本発明のさらに他の目的は、ケースをコードの配線ラインに沿って置け、配線の流れを乱さない形状のコードケースを提供することである。
本発明のさらに他の目的は、ケースを開いて巻きコードの巻き数を加減出来るコードケースを提供することである。
本発明のさらに他の目的は、ケース内部でのコードの移動抵抗が小さく、コードの出し入れが軽快に出来るコードケースを提供することである。
本発明のさらに他の目的は、ケース内へのコードの引き込みが軽快に出来る扱い易いコードケースを提供することである。
本発明のさらに他の目的は、ケースのコード口の部分に簡単な操作で確りコードの移動止めが行われるコードケースを提供することである。
【課題を解決するための手段】
【０００６】
上記の目的を達成する為に、本発明は、その内壁がコードの太さを超える前後方向の幅を有し巻きコード部の周りを囲う周壁部から成る外側案内手段と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、コードの巻きコード部を内部に収納する開閉可能に分割されたコードケースを提供する。
【０００７】
ここで、巻きコードとは、コードを少なくとも半巻き（１/２回巻き）以上に巻いたものである。半巻きとはコードを輪の形を形成して折り曲げ状にしたものを含んでいる。
また、ケース内でのコードの巻き方は、必ずしも規則正しく巻かれたもののみに限定されない。巻きの位置や大きさなどに幾分の乱れがあっても巻きコード部の収納の目的は達成される。
【０００８】
また、ケース内の巻き込み側コード口と巻き出し側コード口との間で、コードを螺旋状に巻いた巻きコード部を形成して収納するコードケースを提供する。
【０００９】
また、ケースの周壁部の内側に巻きコード部のコードの巻き方向に沿ってコードの太さに適合する幅のコード仕切りから成る外側案内手段を備えるコードケースを提供する。
【００１０】
また、近似長方形のケースの左右の短辺側の側壁に設けた巻き込み側コード口と、短辺側の側壁の他の部位に設けた巻き出し側コード口を備えるコードケースを提供する。
ここに、近似長方形とは、正面の形が長孔や左右に扁平な楕円形を含む長方形の形ことを言う。
【００１１】
また、近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される左右一組の案内体から成るコード案内手段を備えるコードケースを提供する。
【００１２】
また、コード案内手段の案内体がその先端側に回転自由に保持されたローラから成るコード案内面を備えるコードケースを提供する。
【００１３】
また、コード口の下方側にコードの太さより幅の狭い保持溝を形成し、この部位に側壁の外側に突出する形のコード押え部を備えるコード止め手段を備えるコードケースを提供する。
【００１４】
また、コード口の部分にその内径がコードの外径に緩く適合した大きさを有し、その先方側の外周面がコード口の孔部の大きさより手前側上りに傾斜した傾斜面を成し、その手前端側に鍔部を有すると共にその周壁に軸方向の切り割を有する止めブッシュから成るコード止め手段を備えるコードケースを提供する。
【００１５】
本発明のコードケースは、半透明あるいは透明のプラスチック樹脂製として内部が見えるようにしておくことも出来る。又、柔軟なビニール製とすることも出来る。ケースの一部に壁などに固定するための孔や引掛け用のフック部を設けておくことも推奨される。
【発明の効果】
【００１６】
本発明は、以上説明したように構成されるので、以下に記載されるような効果を奏する。
【００１７】
コードをケース内で巻きコード部を形成して収納し、ケースの周りの壁部の二つのコード口から必要な長さのコードを引き出せる開閉可能のコードケースとしたので、コードの配線の際などに生ずる余剰コード部分が小さく形よく収納され、家具の隅などに乱れた配線の見えない、掃除等の邪魔にならないすっきりした配線が出来る。
【００１８】
また、ケースを開いて巻きコード部の巻きの数を加減して長さを調節したり、巻きコードの乱れを直したりすることが出来る扱いやすいコードケースが得られる。
【００１９】
また、コードを螺旋状に巻いた巻きコード部とすることで、コードが小さくまとまり良く収納される。且つ、コードが規則正しく巻かれるので、より円滑なコードの出し入れ操作の出来るコンパクトなコードケースが得られる。
【００２０】
また、コードケースの周壁部の内側にコードの巻き方向に沿ってコードの太さに適合する幅のコード仕切りから成る外側案内手段を設けることで、巻きコード部の巻きの乱れが防止され、コード口からのより円滑なコードの出し入れが行われる。
【００２１】
また、近似長方形のケースの二つの短辺側の一方の側に巻き込み側コード口を、短辺側の他方の側に巻き出し側コード口を備えるコードケースとすることで、細長いケースをコードの配線のラインに沿って置ける、あるいは、配線ラインの角部に置いてコードを直角に流すなどの一層自由な配線が可能な扱いやすいコードケースが得られる。
【００２２】
また、近似長方形のケースの前壁部と後壁部に左右方向のスライド溝を設け、該スライド溝上に巻きコード部の巻き輪の内側で滑動可能に保持される左右一組の案内体から成るコード案内手段を設けることで、案内体のスライド操作によるコードのケース内への円滑な引き込みが出来るコードケースが得られる。
【００２３】
また、コード案内手段の案内体がその先端側に回転自由に保持されたローラから成るコード案内面を備えるようにすることで、コードの移動抵抗が軽減されより軽快なコードの出し入れ操作の出来るコードケースが得られる。
【００２４】
また、ケースのコード口の下方側にコードの太さより幅の狭い保持溝を形成し、この部位に側壁の外側に突出する形のコード押え部を備えるコード止め手段を設けることで、コード部分をより長い幅で柔軟に保持してコードを傷めずに確り保持するコード止め手段を備えるコードケースが得られる。
【００２５】
また、コード口の部分にその先方側の外周面がコード口の孔部の大きさより手前側上りに傾斜した傾斜面を成し、その手前端側に鍔部を有すると共にその周壁に軸方向の切り割を有する止めブッシュのコード止め手段を設けることで、一層強固にコードの移動が押えられるコードケースが得られる。
【図面の簡単な説明】
【００２６】
【図１】本発明の実施形態を示す図で、一部を破断して示す正面図
【図２】図１における２−２矢視断面図
【図３】同ケースの左側面図
【図４】同ケースの右側面図
【図５】本発明の他の実施例を示す図で、一部を破断して示す正面図
【図６】図５における６−６矢視断面図
【図７】本発明の他の実施例を示す図で、一部を破断して示す正面図
【図８】図７における８−８矢視断面図
【図９】本発明の他の実施例を示す図で、コードケースの左側面図
【図１０】図９における１０−１０矢視断面図
【図１１】本発明の他の実施例を示す図で、コード止め手段の部分を示す部分正面断面図
【図１２】本発明の他の実施例を示す図で、後部カバーを開いて示す正面図
【図１３】図１２における１３−１３矢視断面図で後部カバーを閉じて示す図
【図１４】図１２における１４−１４矢視図で後部カバーを閉じて示す拡大図
【発明を実施するための形態】
【００２７】
以下、本発明の実施の形態を実施例に基づいて説明する。
図１〜図４は、コードケースの一実施例を示す。柔軟性を持つプラスチック製のコードケース１は上壁２、下壁３、左側の側壁４、右側の側壁５からなる周壁部６と前壁部７及び後壁部８を有する左右に長い近似長方形の正面形状を有している。このケースは分割線9の位置でケースの上側10とケースの下側１1の上下に二分割されており、ケースの下側１1の上縁の左右の肩部１2をケースの上側10の掛け爪部１3で引掛けて保持して一体化している。ケースを開く時にはケースの上側の指掛け部１４を外に開いて掛け爪部１３の掛かりを外す。ケースの内部には螺旋状に巻かれた余剰コード１５が収納されている。収納された余剰コードの巻きコード部１６は自ずとコードケース１の周壁部６の内壁の形に倣う。
【００２８】
左右の側壁には各々２本の縦の長孔状のコード口が形成されている。
この例において、コードの巻き込み端１７は周壁部６の左側の側壁４の一部位に設けた巻き込み側コード口１８よりコードケース１内に入り、ケース内で巻きコード部１６を形成し、その巻き出し端１９は周壁部６の右側の側壁５の一部位に設けた巻き出し側コード口２０より外部へ出る。しかし、コードの巻き出し端は左側の側壁４の他の部位に設けた第二の巻き出し側コード口２１より巻き出し端１９′のように外部へ出すことも出来る。
巻き込み及び巻き出しの各コード口は縦の長孔状を有し、その幅は下側に向かってコードの直径より狭く造られ略楔形をしており、下へ押し下げられたコードの動きを抑えるコード止め手段を成している。コードの巻き込み端１７と巻き出し端１９は各々一定の長さ出したり入れたりすることが出来る。また、ケースを開いて余剰コードの長さに応じてコードの巻きの数を調整することが出来る。
【００２９】
図５〜図６は、コードケースの他の実施例を示す。以下の実施例の説明において前に示した実施例と同一の部分や同一の機能を有する部分については、同一の符号にa 、b 、c の添え文字を附して示すに止め、なるべくその説明を省略し、主に異なる部分について説明する。
【００３０】
ここで、コードケース１aはその周壁部６aの下壁３a及び上壁２aの内壁側にコード口１８aより巻きコード部１６aのコードの巻き方向に沿ってコードの太さに適合する幅のコード仕切り２４から成る外側案内手段を備える。
これにより、コードをコード仕切り２４内に嵌るように周壁部の内側に螺旋状に巻いて収納することが出来る。
このコード仕切り２４は、この例に止まらず、下壁３aより右側の側壁５a、上壁２aそして左側の側壁４aへと螺旋状に滑らかに続くように周壁部６aの内壁側に形成することも出来る。
これにより、コードをコード仕切り内に嵌るように周壁部の内側に螺旋状に巻いて収納することが出来る。
【００３１】
図７〜図８は、コードケースの他の実施例を示す。
ここで、左右に長孔状の正面形状を有するコードケース１ｂの前壁部７ｂと後壁部８ｂには、ケースの上側１０ｂとケースの下側１１ｂの分割線９ｂの位置の中央部分に中央より右方向と左方向にスライド溝２６が設けてある。ケース内の前後のスライド溝の間の中央部に左右一組の案内体２７が背中合わせに設けてある。この案内体２７は各々その先端側に形成された保持溝に回転自由に保持された2個の主ローラ２８と1個の補助ローラ２９から成るコード案内面を備えている。両案内体２７はその前後の部分にスライド溝２６に滑合に嵌るスライド部３０を備えており、図示のケースの中央位置から互いに右と左に離隔する方向にスライド可能に保持されている。
前後のスライド部３０の両端部には外部に露出する操作端３１が形成されており、この前後の操作端３１を摘まんで右の案内体２７を矢印３２のように右方にスライドさせることが出来る。
【００３２】
コード案内面は巻きコード部１６ｂの内側を前後方向に横切り、コード内側案内手段を形成している。コードの巻き込み端１７ｂが引き出されると、巻きコード部１６ｂの輪の内側は案内体２７のコード案内面まで移動して巻付く状態になるが、各輪が消滅することはなく、余剰コード１５ｂのネジレが防止され、コード内側案内手段としてのその重要な機能を果たす。
図７では余剰コード１５ｂが引き出されて巻きコード部１６ｂの右側の巻き輪３３の一部が巻き輪３３′のように右側の案内体２７の案内面に巻き掛っている。右側の案内体２７を矢印３２のようにスライドさせ案内体２７′の位置に移動させることで、巻き輪３３′を元に戻しコードの巻き込み端１７ｂを引き込むことが出来る。
【００３３】
図９〜図１０は、コード止め手段の他の実施例を示す。
コードケース１ｃの左側の側壁４ｃの巻き込み側コード口１８ｃの下方側にコードの太さより幅が狭くなった保持溝３４が形成されており、この部分に側壁４ｃより外方へ突出するコード押え部３５が設けてある。このコード押え部３５の中央部にはコードの巻き込み端１７ｃの留る浅い保持部３６が設けてある。このコード押え部３５はコードの巻き込み端１７ｃ部分をより長い幅でより柔軟に保持する。
【００３４】
図１１は、コード止め手段の他の実施例を示す。左右に扁平な楕円形のコードケース１dのコード口のボス部４０にコードの巻き込み端１７ｄの外周に緩く嵌る内径を有し、その先方側に外周面がコード口の孔部の大きさより手前側上りに傾斜した傾斜面４１を有する止めブッシュ４４が設けられている。この止めブッシュ４４はその外周に軸方向の切り割４２を有し、手前端には操作用の鍔部４３を備えている。コードの移動を止める時は、鍔部４３をコード口側へ向かって押し込むことで止めブッシュ４４の内径面がコード１７dを締付けて移動しないように働く。コードを移動させる時は、鍔部４３をつまんで止め鍔４５が当るまで引き出してコードの締付を開放する。
【００３５】
図１２〜図１４は、コードケースの他の実施例を示す。
このコードケース１eは、近似長方形の正面の形を有する薄い形のものである。
周壁部６eの上側に設けたヒンジ部４７を支点に前壁部７e側と後壁部8e側に開閉可能に分割されている。図１２は後壁部8eを開いた状態を示している。
巻きコード部分１６eの外側を囲う周壁部６eと、巻きコード部の前側を被う前壁部７eと、巻きコード部の後側を被う後壁部8eと、周壁部６eの左側の側壁４eに開く巻き込み側コード口１８eと、右側の側壁５eに開く巻き出し側コード口２０eを備えている。
巻き込み側コード口１８e より入る余剰コード１５eは前壁部７eの内側に型にはまらない自由な形で収まっているが、２箇所の輪を描いた曲折部（１/２巻き部）の巻きコード部分１６eを形成して巻き出し側コード口２０eより外部に出ている。ケースの収容容積に比べ収納されている余剰コード１５eの量は少ないが、充分に余剰コードの処理の目的を達成している例である。
【００３６】
図１４は巻き込み側コード口１８eの部分を示している。
左側の側壁４eに設けられる巻き込み側コード口１８eは後壁部8e側から前壁部７e側に亘って形成されている。後壁部8e側の口幅と深さはコードの巻き込み端１７eの太さに対して余裕のある寸法に形成されている。一方、前壁部７e側はコードの太さより幅の狭い寸法の保持溝３４eになっている。
そこで、コードを出し入れする時は後壁部8e側のコード口１８e内で行い、位置が決まった時はコードを下の保持溝３４eに押し込むようにして固定するコード止め手段を示している。
【符号の説明】
【００３７】
１、１a、１ｂ、１c、１d、１e -----コードケース
２、２a、２ｂ、２c、２d、２e -----上壁２
３、３a、３ｂ、３c、３d、３e -----下壁３
４、４a、４ｂ、４ｃ、４d、４e -----左側の側壁
５、５a、５ｂ、５e-------------右側の側壁
６、６a、６ｂ、６d、６e ---------周壁部６
７、７a、７ｂ、７c、７e ---------前壁部
８、８a、８ｂ、８e---------後壁部
９、９a、９ｂ、９c、９d、９e ------分割線
１０、１０a、１０ｂ---------ケースの上側10
１１、１１a、１１ｂ---------ケースの下側１1
１２、１２a、１２ｂ、１２c----肩部
１３、１３a、１３ｂ、１３c----掛け爪部
１４、１４a、１４ｂ、１４c----指掛け部
１５、１５a、１５ｂ、１５e---------余剰コード
１６、１６a、１６ｂ、１６d、１６e ----巻きコード部
１７、１７a、１７ｂ、１７ｃ、１７d、１７e ----コードの巻き込み端
１８、１８a、１８ｂ、１８ｃ、１８e----コードの巻き込み口
１９、１９a、１９ｂ、１９e---------コードの巻き出し端
２０、２０ｂ、２０e--------------巻き出し側コード口
２１-------------------第二の巻き出し側コード口
２４-------------------コード仕切り
２６-------------------スライド溝
２７、２７′-------------案内体
２８-------------------主ローラ
２９-------------------補助ローラ
３０-------------------スライド部
３１-------------------操作端
３３、３３′-------------巻き輪
３４、３４e -------------------保持溝
３５-------------------コード押え部
３６-------------------保持部
３７-------------------溝
４０-------------------ボス部
４１-------------------傾斜面
４２-------------------切り割
４３-------------------鍔部
４４-------------------止めブッシュ
４５-------------------止め鍔
４７-------------------ヒンジ部
【手続補正書】
【提出日】平成29年8月30日(2017.8.30)
【手続補正１】
【補正対象書類名】図面
【補正対象項目名】全図
【補正方法】変更
【補正の内容】
【図１】
2017199889.tif 000043
【図２】
2017199889.tif 000044
【図３】
2017199889.tif 000045
【図４】
2017199889.tif 000046
【図５】
2017199889.tif 000047
【図６】
2017199889.tif 000048
【図７】
2017199889.tif 000049
【図８】
2017199889.tif 000050
【図９】
2017199889.tif 000051
【図１０】
2017199889.tif 000052
【図１１】
2017199889.tif 000053
【図１２】
2017199889.tif 000054
【図１３】
2017199889.tif 000055
【図１４】
2017199889.tif 000056
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
その内壁がコードの太さを超える前後方向の幅を有し巻きコード部の周りを囲う周壁部から成る外側案内手段と、巻きコード部の前側を被う前壁部と、巻きコード部の後側を被う後壁部と、巻きコード部の周りの壁部の一部位に設けた巻き込み側コード口と、巻きコード部の周りの壁部の他の部位に設けた巻き出し側コード口を備え、コードの巻きコード部を内部に収納する開閉可能に分割されたコードケース。
【請求項２】
周壁部の内側に巻きコード部のコードの巻き方向に沿ってコードの太さに適合する幅のコード仕切りから成る外側案内手段を備えることを特徴とする請求項１記載のコードケース。
【請求項３】
巻き込み側コード口と巻き出し側コード口との間で、コードをコード仕切りの外側案内手段に沿って螺旋状に巻いた巻きコード部を形成して収納したことを特徴とする請求項２記載のコードケース。
【請求項４】
近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される一組の案内体から成るコード案内手段を備えることを特徴とする請求項１又は３記載のコードケース。